(57)【要約】【課題】加湿器の側面パネルと水槽部及び水タンクの割線が側面パネルに設けた水位検知スイッチの位置により制約されないため割線によるデザインの自由度が向上できるとともに、水タンクの断面形状を異形にする必要がないため水タンクの加工費を低減できる加湿器を提供することを目的とする。【解決手段】水槽部の水位を検知する水位検知スイッチを本体の側面パネルに設け水槽部と水タンクが本体の外郭面を形成する加湿器において、水位検知スイッチを側面パネルと水槽部及び水タンクの割線より水槽部側に突出した凸部に設け、本体に水槽部を装着すると凸部を内包する凹部を水槽部に設けたものである。【選択図】図３
2010121891.tif 000002
【特許請求の範囲】
【請求項１】
本体の側面を形成する側面パネルと、前記本体に着脱自在に設けた水槽部と、前記水槽部に立設する水タンクとを有し、前記水槽部の水位により変化する水位検知部を前記水槽部に設け、前記水位検知部の変化を検知する水位検知スイッチを前記側面パネルに設けるとともに前記水槽部と水タンクが本体の外郭面を形成する加湿器において、前記水位検知スイッチを前記水槽部と側面パネルの割線より水槽部側に突出した凸部に設け、前記凸部を内包する凹部を前記水槽部に設けたことを特徴とする加湿器。
【発明の詳細な説明】
【技術分野】
【０００１】
本発明は、室内の乾燥を防止するための加湿器に関するものである。
【背景技術】
【０００２】
従来の加湿器について説明する。図４より本体５０の側面には側面パネル５１、上部には図示しない操作パネルと吹出口を有し、本体５０に着脱自在の水槽部５２とこの水槽部５２に立設する水タンク５３から構成されている。そして、水槽部５２と水タンク５３は本体５０の外郭面の一部を形成し側面パネル５１との割線５４により区画されている。さらに、図５より水槽部５２には水槽部５２の水を気化する加湿部５５が設けられ、本体５０内に設けられた送風機により図示しない吸込口から取り込まれた室内空気を加湿部５５に送風することで水槽部５２の水を気化させ加湿空気として吹出口から放出する構成である。
【０００３】
さらに、水槽部５２の水タンク挿入部５６には水槽部５２の水位により変化する水位検知部５７が設けられ、水位検知部５７は内部にマグネット５８を有するとともに水槽部５２の水位により軸を支点に上下に回動するフロート５９から構成されている。そして、水位検知部５７のマグネット５８の変化を検知して作動する水位検知スイッチ６０が側面パネル５１に設けられている。
【０００４】
ここで、水槽部５２の水位検知について図６により説明する。水槽部５２に一定量の水が貯えられているときは、図６（ａ）に示すように水位検知スイッチ６０は水位検知部５７に設けられたマグネット５８を検知しているので接点が閉じた状態となっている。一方、水タンク５３内の水がなくなり水槽部５２の水位が下がって所定の水位以下となると、図６（ｂ）のようにフロート５９が回動して水位検知スイッチ６０がマグネット５８を検知することができなくなるため、水位検知スイッチ６０の接点が開放される構成となっている。
【０００５】
ところで、従来の加湿器では加湿量を多くするため水槽部５２に設けた加湿部５５の面積を増やさなければならない。つまり、加湿部５５の面積を増やすと水タンク挿入部５６を出来るだけ小さくしなければならないため、水タンク挿入部５６に設けられた水位検知部５７は、図５に示すように本体５０の矢印方向側に設けられることになる。その結果、側面パネル５１に設けられた水位検知スイッチ６０も水位検知部５７のマグネット５８を検知するために本体５０の矢印方向側に設けなければならない。
【０００６】
つまり、側面パネル５１と水槽部５２及び水タンク５３の割線５４が本体５０の矢印方向側に移動するので水槽部５２に立設する水タンク５３の外郭面も小さくなり、水タンク５３の容量を一定以上確保するためには図７に示すように水タンク５３の断面形状を異形（斜線部）にする必要があった。（特許文献１）
【特許文献１】特開２００８−２０１１５号公報
【発明の開示】
【発明が解決しようとする課題】
【０００７】
しかしながら、水タンクの断面形状が異形であることから、水タンクの樹脂成形金型構造が複雑になり水タンクの加工費が上昇するという問題があった。さらに、水位検知スイッチの取り付け位置により側面パネルと水槽部及び水タンクの割線が決まってしまうので割線によるデザインの自由度が制限されるという問題があった。
【０００８】
本発明は上記課題を解決するためのもので、側面パネルと水槽部及び水タンクの割線が側面パネルに設けた水位検知スイッチの位置により制約されないため割線によるデザインの自由度が向上できるとともに、水タンクの形状を異形にする必要がないため水タンクの加工費を低減できる加湿器を提供することを目的とする。
【課題を解決するための手段】
【０００９】
本発明は、本体の側面を形成する側面パネルと、前記本体に着脱自在に設けた水槽部と、前記水槽部に立設する水タンクとを有し、前記水槽部の水位により変化する水位検知部を前記水槽部に設け、前記水位検知部の変化を検知する水位検知スイッチを前記側面パネルに設けるとともに前記水槽部と水タンクが本体の外郭面を形成する加湿器において、前記水位検知スイッチを前記水槽部と側面パネルの割線より水槽部側に突出した凸部に設け、前記凸部を内包する凹部を前記水槽部に設けたことを特徴とする加湿器に係わるものである。
【発明の効果】
【００１０】
上述の構成にすることにより、側面パネルと水槽部及び水タンクの割線の位置が側面パネルに設けた水位検知スイッチの取り付け位置により制約されないため割線によるデザインの自由度を向上できるとともに、水タンクの形状を異形にする必要がないため水タンクの加工費を低減できる加湿器となる。
【発明を実施するための最良の形態】
【００１１】
好適と考える本発明の最良の形態を、本発明の作用効果を示して簡単に説明する。
【００１２】
本発明は、水槽部の水位を検知する水位検知スイッチを本体の側面パネルに設け水槽部と水タンクが本体の外郭面を形成する加湿器において、水位検知スイッチを側面パネルと水槽部及び水タンクの割線より水槽部側に突出した凸部に設け、本体に水槽部を装着すると凸部を内包する凹部を水槽部に設けたものである。
【００１３】
つまり、水槽部を本体に装着すると凸部は凹部に内包されて外観に現れなくなるので、凸部の突出長さと凹部の深さにより割線の位置を自由に決めることができる。したがって、加湿器の割線によるデザインの自由度を向上できるとともに、水タンクの断面形状を異形にする必要がないため水タンクの加工費を低減できる加湿器となる。
【実施例１】
【００１４】
以下本発明の一実施例を図面により説明する。
【００１５】
図１より、本体１の上部には操作パネル２と本体１内で加湿された加湿空気を室内に排出するための吹出口３を配置している。また、本体１の側面には側面パネル４を有し、本体１に着脱自在の水槽部５とこの水槽部５に立設する水タンク６を備えている。そして、水槽部５と水タンク６は本体１の外郭面の一部を形成し側面パネル４との割線７により区画されている。さらに、図２より水槽部５には水槽部５の水を気化する加湿部８が設けられ、本体１内に設けられた送風機により図示しない吸込口から取り込まれた室内空気を加湿部８に送風することで水槽部５の水を気化させ加湿空気として吹出口３から放出する構成となっている。
【００１６】
さらに、水槽部５の水タンク挿入部９には水槽部５の水位により変化する水位検知部１０が設けられ、水位検知部１０は水槽部５の水位により軸を支点に上下に回動するフロート１２とフロート１２内部に設けられたマグネット１１から構成されている。そして、水位検知部１０のマグネット１１の変化を検知して作動する水位検知スイッチ１３は側面パネル４と水槽部５及び水タンク６との割線７から突出した凸部１４に設けられており、この凸部１４は水槽部５を本体１に装着すると水槽部５の凹部１５に内包される構成である。
【００１７】
また、加湿器の加湿量を多くするためは水槽部５に設けた加湿部８の面積を増やさなければならない。つまり、加湿部８の面積を増やすと水タンク挿入部９を出来るだけ小さくしなければならないため、水タンク挿入部９に設けられた水位検知部１０は本体１の矢印方向側に設けられることになる。その結果、側面パネル４に設けられた水位検知スイッチ１３も水位検知部１０のマグネット１１を検知するため側面パネル４の水槽部５側に設けなければならないので、割線７の位置は矢印方向側へ移動せざるを得ない。
【００１８】
しかし、本発明の実施例では側面パネル４と水槽部５及び水タンク６との割線７より突出した凸部１４に水位検知スイッチ１３を設け、この凸部１４を内包する凹部１５が水槽部５に設けられているので、凸部１４の突出長さを長くして水槽部５の凹部１５の深さを深くすれば割線７の位置は側面パネル４のセンター側に設定することが出来るのである。
【００１９】
つまり、図３（ａ）に示すように側面パネル４のセンター側に割線７を設定する場合は凸部１４の突出長さ（Ａ）を長くして凹部１５の深さ（Ｂ）を深くすれば良く、逆に、図３（ｂ）に示すように側面パネル４の水槽部５側に割線７を設定する場合は凸部１４の突出長さ（Ａ）を短くして凹部１５の深さ（Ｂ）を浅くすれば良いのである。したがって、側面パネル４と水槽部５及び水タンク６の割線７が水位検知スイッチ１０の取り付け位置に制約されないで設定できるため、割線７の位置によるデザインの自由度が向上するのである。
【００２０】
また、側面パネル４の凸部１４と水槽部５の凹部１５により割線７を自由に設定できるので、従来の加湿器のように水タンク６の容量を一定以上確保するために水タンク６の断面形状を異形にする必要がなくなるため、水タンク６の金型構造が簡単になり加工費が上昇するという問題は解消されるのである。
【図面の簡単な説明】
【００２１】
【図１】本発明の加湿器の傾斜図である。
【図２】本発明の加湿器の横断面構成図である。
【図３】本発明の凸部と凹部の関係を示す正面図である。
【図４】従来の加湿器の正面図である。
【図５】従来の加湿器の横断面構成図である。
【図６】従来の水位検知部と水位検知スイッチの動作を示す図である
【図７】従来の加湿器の上面図である。
【符号の説明】
【００２２】
１    本体
４    側面パネル
５    水槽部
６    水タンク
７    割線
１０  水位検知部
１３  水位検知スイッチ
１４  凸部
１５  凹部
【図１】
2010121891.tif 000003
【図２】
2010121891.tif 000004
【図３】
2010121891.tif 000005
【図４】
2010121891.tif 000006
【図５】
2010121891.tif 000007
【図６】
2010121891.tif 000008
【図７】
2010121891.tif 000009